(57)【要約】【課題】長期間の使用によっても、摩擦抵抗付与部材の破損の虞が少なく、摩擦抵抗の低下も少ないようにする。【解決手段】回動部材１０と、回動部材１０を回動可能に支持する支持部材２と、回動部材１０を回動可能に支持する回転軸部１４を有し回動部材１０を支持部材２に回転可能に連結する回動支持軸部材１１と、回動支持軸部材１１の回転軸部１４を包囲し、回転軸部１４と回動部材１０との間に介在されて回動部材１０の回動の際に回転軸部１４に対して摩擦抵抗を付与する摩擦抵抗付与部材２１とを備え、摩擦抵抗付与部材２１と回動部材１０との間では回転が生ずることがなく、回動支持軸部材１１に対して摩擦抵抗付与部材２１の内周面が摺接することで摩擦抵抗が付与されるようにしている。【選択図】図１０
2019063227.tif 000002
【特許請求の範囲】
【請求項１】
回動部材と、
前記回動部材を回動可能に支持する支持部材と、
前記回動部材を回動可能に支持する回転軸部を有し前記回動部材を前記支持部材に回転可能に連結する回動支持軸部材と、
前記回動支持軸部材の前記回転軸部を包囲し、前記回転軸部と前記回動部材との間に介在されて前記回動部材の回動の際に前記回転軸部に対して摩擦抵抗を付与する摩擦抵抗付与部材とを備え、
前記摩擦抵抗付与部材と前記回動部材との間では回転が生ずることがなく、前記回動支持軸部材に対して前記摩擦抵抗付与部材の内周面が摺接することで摩擦抵抗が付与される
ことを特徴とする椅子の構造物の回動構造。
【請求項２】
前記摩擦抵抗付与部材は、前記回動支持軸部材の前記回転軸部の外周面に面接触する円弧状の内周面を有するシュー部材と、前記回転軸部に向けて前記シュー部材を押しつける締め付け力を付与する締付部材とを有し、前記締付部材で軸中心に向けて締め付けられることにより前記回転軸部に前記シュー部材が押しつけられて摩擦抵抗が付与されることを特徴とする請求項１記載の椅子の構造物の回動構造。
【請求項３】
前記シュー部材は横断面Ｃ形の筒部材であり、前記締付部材による締め付けで縮径されて前記回転軸部に摩擦抵抗を付与することを特徴とする請求項２記載の椅子の構造物の回動構造。
【請求項４】
前記締付部材はＯリングであることを特徴とする請求項２または３記載の椅子の構造物の回動構造。
【請求項５】
前記シュー部材と前記回動部材との間には互いに嵌合し前記回動部材の回転方向には係止される回り止めを構成する凹凸を有することを特徴とする請求項２から４のいずれか１つに記載の椅子の構造物の回動構造。
【請求項６】
前記回動部材が座フレームであり、前記支持部材が脚フレームであり、前記回動支持軸部材が前記脚フレームに固定された回転軸部を有する固定軸であり、前記回動支持軸部材が前記座フレームを貫通して前記脚フレームに固定される一方、前記摩擦抵抗付与部材が前記座フレーム側に回転不能に装着され、前記脚フレーム側に固定された前記回動支持軸部材を中心に前記座フレームが回転可能に支持されて前記座フレームを含む座を水平姿勢と垂直姿勢とに切り替え可能とし、前記垂直姿勢に前記座を保持した状態で同一構造の他の椅子と前後方向にネスティング可能とすることを特徴とする請求項１から５のいずれか１つに記載の椅子の構造物の回動構造。
【発明の詳細な説明】
【技術分野】
【０００１】
本発明は、互いに相対的に回転可能に連結される２部材間の回動構造、特に重力の作用方向に回動する回転軸部に適用して有用な回動構造に関する。さらに詳述すると、本発明は、特に椅子の２部材間の回動構造、例えば水平な使用位置から垂直に起立した収納位置との間で回動する跳ね上げ式座の回動構造に適用して有用な回動構造に関する。
【背景技術】
【０００２】
従来より、椅子の構造物の回動構造において回転軸に対して摩擦抵抗を付与する手法については種々提案されている。例えば、金属パイプで四角形に形成された座フレームと当該座フレームに固定された合成樹脂製の座板とを備える座の座フレームの後部が前脚の上端部に設けられた軸受けにボルトで連結されて座がボルトを中心として跳ね上げ回動させることができる椅子において、座の回動に対して抵抗を付与する合成樹脂製の制動部材が嵌められた状態で座フレーム後部の貫通孔を貫通するボルトが軸受けにねじ込まれるようにしているものがある（特許文献１）。
【０００３】
また、座フレームと、座フレームを回動可能に支持する回動軸との間に、回動軸の周面に配設されて回動軸と座フレームとの間に介在して座フレームの回動に対して摩擦抵抗を付与するＯリングを備え、ねじの締め付けによって摩擦抵抗を発揮させる構造を用いることなく、座などの椅子を構成する部材の回動に抵抗を付与することを可能にするものも提案されている（特許文献２）。
【先行技術文献】
【特許文献】
【０００４】
【特許文献１】特開２００３−２３５６７０号公報
【特許文献２】特開２０１６−１２０１２４号公報
【発明の概要】
【発明が解決しようとする課題】
【０００５】
しかしながら、特許文献１に記載の発明では、座フレームと前脚（軸受け）とを締結するボルトを締める強さ即ちボルトの締め付けトルクを適当に調節することによって座フレームと制動部材との摩擦抵抗を発揮させて座の回動の抵抗を適度に調整するものであるので、ボルトの締め付けが弛むと摩擦抵抗が低減して座が容易に回動するようになる。即ち、ねじによる抵抗付与の方法では、長期間の使用によって座の回動を繰り返すことでねじの弛みが起き、それとともに摩擦抵抗が落ちてしまい、使用者が意図していないにも拘わらず座が不意に倒れるなどの様々の問題を引き起こす虞がある。
【０００６】
また、特許文献２記載の発明では、摩擦抵抗付与部材であるＯリングと座フレームとが点あるいは線接触により接触するため、座の回動に伴いＯリングが擦れることに因るＯリングの劣化が激しく、Ｏリングが破断したり、摩擦抵抗が早期に低減してしまう問題がある。
【０００７】
本発明は、長期間の使用によっても、摩擦抵抗付与部材の破損の虞が少なく、摩擦抵抗の低下も少ない椅子の構造物の回動構造を提供することを目的とする。
【課題を解決するための手段】
【０００８】
かかる目的を達成するため、本発明の椅子の構造物の回動構造は、回動部材と、回動部材を回動可能に支持する支持部材と、回動部材を回動可能に支持する回転軸部を有し回動部材を支持部材に回転可能に連結する回動支持軸部材と、回動支持軸部材の回転軸部を包囲し、回転軸部と回動部材との間に介在されて回動部材の回動の際に回転軸部に対して摩擦抵抗を付与する摩擦抵抗付与部材とを備え、摩擦抵抗付与部材と回動部材との間では回転が生ずることがなく、回動支持軸部材に対して摩擦抵抗付与部材の内周面が摺接することで摩擦抵抗が付与されるようにしている。
【０００９】
また、本発明の椅子の構造物の回動構造において、摩擦抵抗付与部材は、回動支持軸部材の回転軸部の外周面に面接触する円弧状の内周面を有するシュー部材と、回転軸部に向けてシュー部材を押しつける締め付け力を付与する締付部材とを有し、締付部材で軸中心に向けて締め付けられることにより回転軸部にシュー部材が押しつけられて摩擦抵抗が付与される構造であることが好ましい。
【００１０】
ここで、シュー部材は横断面Ｃ形の筒部材であり、締付部材による締め付けで縮径されて回転軸部に摩擦抵抗を付与することが好ましい。
【００１１】
また、締付部材はＯリングであることが好ましい。
【００１２】
さらに、シュー部材と回動部材との間には互いに嵌合し回動部材の回転方向には係止される回り止めを構成する凹凸を有することが好ましい。
【００１３】
また、本発明の椅子の構造物の回動構造は、回動部材が座フレームであり、支持部材が脚フレームであり、回動支持軸部材が脚フレームに固定された回転軸部を有する固定軸であり、回動支持軸部材が座フレームを貫通して脚フレームに固定される一方、摩擦抵抗付与部材が座フレーム側に回転不能に装着され、脚フレーム側に固定された回動支持軸部材を中心に座フレームが回転可能に支持されて座フレームを含む座を水平姿勢と垂直姿勢とに切り替え可能とし、垂直姿勢に座を保持した状態で同一構造の他の椅子と前後方向にネスティング可能としている。
【発明の効果】
【００１４】
本発明の椅子の構造物の回動構造によれば、互いに相対的に回転可能に連結される２部材間の連結と回転の際の摩擦抵抗付与とを分離させた軸受け構造となるので、一定の摩擦抵抗を付与しつつ、２部材間の締結に影響を与えず完全に締め付けて２部材を連結することができる。しかも、回転軸部と摩擦抵抗付与部材とが接触する全面（広範囲な面接触）で一定の摩擦抵抗を長期間安定的に付与できる。即ち、本発明によれば、長期間の使用によっても、摩擦抵抗付与部材の破損の虞が少なく、摩擦抵抗の低下も少ない椅子の構造物の回動構造を提供することができる。
【００１５】
さらに加えて、摩擦抵抗付与部材で包囲した回動支持軸部材を回動部材に貫通させて支持部材に連結するだけの簡単な構造で、２部材の連結と回動に対して摩擦抵抗を付与するための仕組みが比較的簡便に構成できる。しかも、摩擦抵抗付与部材は回動部材に挿入されるだけなので、組み立て時に摩擦抵抗の調整作業が不要であると共に調整のばらつきも少ない。
【００１６】
また、請求項２記載の発明によれば、摩擦抵抗付与部材を、シュー部材と締付部材とで構成し、締付部材で軸中心に向けて締め付けられることにより回転軸部に摩擦抵抗を付与するようにしているので、回動部材への組み込みが容易であると共に摩擦抵抗の調整が容易に可能である。
【００１７】
また、請求項３記載の発明によれば、摩擦抵抗付与部材がＣ形筒部材であり、その外周面を締付部材で締め付けて縮径させることにより回転軸部に押し当てるようにしているので、Ｃ形筒部材の内周面全面での広範囲な面接触で摩擦抵抗を付与することができ、摩擦抵抗が安定的に長期間保持される。しかも、摩擦抵抗付与部材が一部品となるので、取り扱い易く、組み立て性に優れると共に量産性に優れている。
【００１８】
また、請求項４記載の発明によれば、摩擦抵抗付与部材に径方向内向きに変形させる締め付け力を付与する締付部材としてＯリングを用いているので、Ｏリングの設置個数が調節されることによって摩擦抵抗の大きさが調整され得るので、椅子を構成する部材の回動に対して摩擦抵抗を付与するための仕組みであって当該摩擦抵抗が容易に調整可能である仕組みが比較的簡便に構成される。
【００１９】
また、請求項５記載の発明によれば、回動構造を組み立てる際に、シュー部材と回動部材との間の凹凸を噛み合わせるように挿入するだけで、回動部材とシュー部材との間の回り止めを構成することができるので、組み立て性に優れると共に量産性に優れている。
【００２０】
さらに、請求項６記載の発明によれば、長期間の使用によっても、摩擦抵抗付与部材の破損の虞が少なく、摩擦抵抗の低下も少ないネスティング椅子を提供することができる。
【図面の簡単な説明】
【００２１】
【図１】本発明の椅子の構造物の回動構造をネスティング椅子の座と脚との連結部に適用した一実施形態を示す斜視図である（メッシュ張地を透明にして示す）。
【図２】同椅子の座を収納位置に跳ね上げた状態を示す側面図である。
【図３】同椅子の座を収納位置に跳ね上げた状態の正面側から見た斜視図である。
【図４】同椅子の脚フレームの前脚部、座支持部、後脚部及び後脚部の上端の出っ張りを示す斜視図である。
【図５】同椅子の脚と座と背凭れとの関係を斜め後方下から見て示す斜視図である（メッシュ張地を透明にして示す）。
【図６】同椅子の座を構成する座枠（メッシュ張地を透明にして示す）と座フレームを分解して示す斜視図である。
【図７】分解状態の座枠と座フレームとの回動支持軸部材が貫通する部分の拡大斜視図である。
【図８】同椅子の座枠の横断面図である。
【図９】同椅子の座フレームの貫通孔部分の拡大斜視図である。
【図１０】同椅子の構造物の回動構造の一実施形態を示す縦断面図である。
【図１１】同回動構造の回動支持軸部材と摩擦抵抗付与部材（シュー部材と締付部材）とを分解して示す斜視図である。
【図１２】図１１の回動支持軸部材と摩擦抵抗付与部材（シュー部材と締付部材）とを反対側から見て示す分解斜視図である。
【発明を実施するための形態】
【００２２】
以下、本発明の構成を図面に示す実施の形態の一例に基づいて詳細に説明する。
【００２３】
図１から図１２に、本発明にかかる椅子の構造物の回動構造をネスティング椅子の座の支持構造に適用した例を挙げて実施の一形態を示す。なお、本明細書においては、椅子の座に座った着座者を基準にして、また、特に座については座が水平姿勢にあるときを基準にして、上下，前後，左右を定義する。また、座が水平姿勢であるとは座面が正確に水平である状態に加えて大凡水平である状態を含み、座が垂直姿勢であるとは座面が正確に垂直である状態に加えて大凡垂直である状態を含む。
【００２４】
この実施形態にかかるネスティング椅子は、座を収納位置に跳ね上げた状態で同一構造の他の椅子と前後方向にネスティングし得るようにしたものであり、ほぼ水平姿勢が保たれる位置（座の使用位置）と跳ね上げられてほぼ垂直姿勢が保たれる位置（座の収納位置）との間で座を回転させるように脚フレームに対して支持させる回動構造を有している。
【００２５】
本実施形態のネスティング椅子１は、図１〜図３に示すように、脚を構成する左右の脚フレーム２と、各脚フレーム２に対して幅方向の水平軸周りに回転自在に支持される座１０及び背凭れ７を有し、座１０を水平姿勢位置と垂直姿勢位置とに切り替え可能とされている。
【００２６】
脚は、本実施形態の場合、左右の脚フレーム２を、それらの間に取り付けられる座１０と背凭れ７並びに左右脚連結パイプ８とによって相互に連結することによって組み立てられている（図３及び図５参照）。各脚フレーム２は、前脚部３と、後脚部５と、前脚部３と後脚部５とをそれらの上部で連結する座支持部４と、横連結部６とを備え、例えばアルミダイキャストによって一体成形されている。アルミダイキャストによる脚フレーム２の成形は形状の自由度が高くなるので脚フレームのデザインに受ける制約を少なくしてデザイン性に優れる脚フレームを提供できる。尚、本実施形態の脚フレーム２は、アルミダイキャストによって構成されているが、これに特に限られるものではなく、例えばステンレススティール製パイプあるいはアルミ合金製パイプなどの一本の金属パイプを折り曲げたものを同種の金属板を介して溶接付けして組み立てる一般的な脚フレームを採用しても良い。この場合においても、本発明にかかる回動構造を適用できることは言うまでもない。
【００２７】
横連結部６は、例えば前脚部３の内側面から斜め前方内側へ向けて突出するように形成され、かつ先端が対向する相手側脚フレームに向けて対向するように屈曲して左右脚連結パイプ８を嵌合させる先端嵌合部６ａが形成されている（図４参照）。この横連結部６の先端嵌合部６ａに左右脚連結パイプ８を嵌め込んでねじ止めすることで、左右の脚フレーム２の前方側が左右脚連結パイプ８を介して相互に連結される。本実施形態の場合、左右脚連結パイプ８は、例えば角パイプであって、横連結部６の角軸状の先端嵌合部６ａと嵌合する。尚、図示していないが、左右脚連結パイプ８の中には補強のための芯材が収容され、芯材の両端が横連結部６の先端嵌合部６ａに連結されることによって当該左右脚連結パイプ８の剛性特に鉛直方向の剛性を高めて撓みを防ぐように設けられている。
【００２８】
また、横連結部６及び左右脚連結パイプ８は、座支持部４に固定される回動支持軸部材１１よりも前方の位置に配設されて回動支持軸部材１１よりも前側で座フレーム２４の横桟部２５を受け支えることができれば良いが、同時に座の収納位置に座１０を跳ね上げて垂直姿勢としたときに左右の脚フレーム２の間に残ることから可能な限り回動支持軸部材１１寄りの位置に設けることがネスティング効率を上げる上では好ましい。そこで、本実施形態の場合には、例えば、座１０を倒して水平姿勢にした状態で、回動支持軸部材１１が貫通する位置から座フレーム２４の先端縁までの間の中程に横連結部６及び左右脚連結パイプ８が配置されるように設けられている。また、横連結部６及び左右脚連結パイプ８は、本実施形態の場合、ユーザーが座に着座したときのメッシュ張地２３の撓みを考慮して、メッシュ張地２３で構成される座面よりも遙かに下に設けられている。
【００２９】
座支持部４の前後方向における中間位置には、互いに対向する向かい側の座支持部４に向けて即ち椅子１の内側に向けて左右方向に突出する回動支持軸部材１１が固定されるねじ孔３５が設けられている。また、回動支持軸部材１１がねじ込まれる面には、ボス部３６が形成されると共にねじ孔３５の入り口部分となる座ぐり穴３７が設けられている。
【００３０】
後脚部５の内側の面（左右の脚フレーム２の後脚部５の互いに対向する面）には、後部ダンパ３３が備えられている。この後部ダンパ３３は、例えば樹脂製のブロックであり、後脚部５に例えばビス止めあるいは接着等によって取り付けられている。また、前脚部３の左右連結部６のコーナ部分には、前部ダンパ３４が備えられている。この前部ダンパ３４は、例えば樹脂製のブロックであり、左右連結部６のコーナ部分に例えばビス止めあるいは接着等によって取り付けられている。これによって、座１０を跳ね上げた状態で同一構造の他の椅子と前後方向にネスティングさせる場合に、後脚部５と前脚部３の左右連結部６のコーナ部分とが直に接触するのを防いで、衝撃や衝突時の音を緩和させることができる。
【００３１】
ここで、本実施形態の脚フレーム２は、後脚部５に対して座支持部４と前脚部３とが先端側に向かうほど漸次内側にオフセットするように形成され、左右の脚フレーム２を組み立てた状態で、後脚部５の内脚幅（左右の後脚部５の間の内側の間隔）よりも前脚部２の外脚幅（左右の前脚部３の間の外側の間隔）が狭くなるように構成されている。これにより複数の椅子１が前後方向に並べられたときに、後方の他の椅子の左右の前脚部３，３が前方の椅子の左右の後脚部５，５の間に入り込み、ネスティング可能な脚構造となる。なお、本実施形態では、前脚部３及び後脚部５のそれぞれの下端部にはキャスタ３８が取り付けられているが、キャスタ３８を備えることは本発明において必須の構成ではない。
【００３２】
背凭れ７は、射出成形によって背枠７ａと背凭れ面７ｂ及び背枠７ａの両側部分の下端部分に筒状の取付部（受口）７ｃが一体成形された樹脂成形品であり、平面視において左右方向における中間部分が後方に撓んで湾曲すると共に側面視において上下方向における中央よりもやや下方の部分が前向きに凸となるように湾曲する形状に形成されている。そして、背凭れ面には、前後方向に貫通する多数の小孔７ｄが形成されている。
【００３３】
この背凭れ７は、例えば背枠下端の取付部７ｃが、後脚部５の上端の上に向かって先細りとなる出っ張り５ａに嵌められることによって脚フレーム２に装着される。即ち、背凭れ７の筒状の取付部（受口）７ｃと後脚部５の上端の出っ張り部５ａとは、印籠継手を構成しており、嵌め込まれた状態で、例えばねじ止めなどによって相互に固定される。
【００３４】
座１０は、例えば図６及び図７に示すように、座面を形成するメッシュ張地２３と、該メッシュ張地２３の縁をインサート成形により一体化して保持する座枠２２と、該座枠２２を下から受支え補強する座フレーム２４とで構成され、座フレーム２４と座枠２２とを重ね合わせてねじ止めすることによって一体化されている。座フレーム２４の回動支持軸部材１１が貫通する部位に重なる座枠２２の周縁には、貫通孔２９のボス部３２を囲うＵ形溝２２ａが形成され、隙間なく重ね合わされている。尚、座１０の構造物としての機械的強度は主に座フレーム２４によって担保されている。
【００３５】
メッシュ張地２３と座枠２２とは、座枠２２の射出成形時にメッシュ張地２３の縁をインサートすることで一体成形されている。メッシュ張地２３は、予めテンションを付加せずに金型のキャビティ内にメッシュ張地２３の縁をインサートし、射出成形後にプラスチック製座枠２２によって周縁が固定されたメッシュ張地２３部分を熱処理して熱収縮によりテンションを付与して成形（本明細書ではヒートセットと呼び、例えば加熱した熱源を膜状部材に当接或いは接近させることで膜状部材を熱収縮させることによって予張力を付与することをいう。）しても良いし、予めメッシュ張地２３にテンションを付加した状態で金型内にインサートしてインサート成形するようにしても良い。本実施形態の場合、インサート成形後にメッシュ張地２３をヒートセットする方法で座１０を形成している。ここで、型を閉じて射出成形する時に、金型内にインサートしたメッシュ張地２３の縁を成形品の底面（裏面）を区画する部分のキャビティ面に押さえつけて固定するための爪形のスライドコア（図示省略）を利用して溶融樹脂の流れにメッシュ張地２３の縁が浮遊しないようにすることが好ましい。同時に、溶融樹脂の流れによって爪形のスライドコアで固定された部位から離れたところでメッシュ張地２３の縁が成形品の底面（裏面）から内側面を区画する部分のキャビティ面に押しつけられないようにするため、メッシュ張地２３の縁とキャビティ面との間のキャビティ内に部分的仕切りのような堰状のスライドコア（図示省略）あるいは堰状のインサート（図示省略）をセットして溶融樹脂の流れに変化を与えてキャビティ面に向けてメッシュ張地２３が偏る動きを阻止することを併用することが好ましい。これらのインサート成形手法は、メッシュ張地２３のインサート成形を確実なものとすると共にメッシュ地が樹脂枠の中に確実に配置して樹脂枠の表面に露出しないようにできるので、外観を損なうこともなければ、メッシュ張地２３に着座者の体重がかかったときに樹脂枠の表面からメッシュ張地２３が剥がれることも無い。尚、図８に示すように、上述の爪形のスライドコア並びに仕切りのようなスライドコアの使用により、射出成形品・座枠２２の裏面側には凹部２７，２８が形成されメッシュ張地２３の縁が露出するが、座フレーム２４が宛がわれて覆われるので外観に露出することはない。
【００３６】
また、座フレーム２４の両側の中央にはメッシュ張地２３で構成される座面から離れる方向（床方向）に突出する弓形の横桟部２５が設けられている。この横桟部２５は、脚の横連結部６の間に嵌合された左右脚連結パイプ８と当接して座フレーム２４全体を受支えるためのものであり、横連結部６から十分に離れた上方に座フレーム２４を持ち上げることでメッシュ地の下に十分な空間を形成して底突き感の無い座面を形成するように設けられている。
【００３７】
さらに、座フレーム２４のほぼ中央を横切る横桟部２５の裏面の左右脚連結パイプ８と当接する部位には、弾力性を有する緩衝パッド２６が備えられている。この緩衝パッド２６は、例えばプレート状の当接部と横桟部２５に設けられた孔（図示省略）に圧入される係止ピン（図示省略）とを有するものであり、座１０を使用位置に倒したときに脚側の左右脚連結パイプ８に当接することで、衝突音の発生を防ぐと共に緩衝作用を与え、座１０が着座に適当な水平姿勢になる高さに保つ。座１０は、横桟部２５が脚の左右脚連結パイプ８と当接することで水平姿勢を採り、かつ水平姿勢が保たれる。
【００３８】
また、座フレーム２４には、図６及び図９などに示すように、例えば前後方向における中間位置よりも後方寄りの位置に、回動支持軸部材１１を取り付けるための貫通孔２９が幅方向の一軸上に左右対称に設けられている。一例としては、貫通孔２９は座フレーム２４の中央よりも後端側寄りで、尚且つ座フレーム２４を跳ね上げて垂直姿勢を採ったときに回転軸部１４を通る鉛直軸よりも後方側（背凭れ側）に重心位置が設定される位置に回動支持軸部材１１が配置されるように設けられている。これによって、座１０は、回動構造の回転軸部１４を中心に跳ね上げられて垂直姿勢を採ると、背凭れ７に凭れかかることで、あるいは摩擦抵抗付与部材２１から付与される摩擦抵抗によって、垂直姿勢が保たれる。また、貫通孔２９の入り口には、回動支持軸部材１１の頭部１３を納める座ぐり穴３０が設けられると共に、摩擦抵抗付与部材２１の回転を阻止するための構造例えば凹部３１が設けられている。そして、これら貫通孔２９に回動支持軸部材１１が挿し込まれてその先端のねじ１２が座支持部４のねじ孔３５に螺合されることによって脚フレーム２と座フレーム２４とが回転可能に連結される。
【００３９】
以上のように構成されたネスティング椅子の座１０と脚フレーム２とは、回動構造を介して水平な一軸上で回転可能に連結されて水平姿勢（座としての使用位置）と垂直姿勢（背凭れに沿うように跳ね上げられて起立する座の収納位置）との間で回動するように脚フレーム２に対して装着される。
【００４０】
即ち、本実施形態の椅子の構造物の回動構造は、例えば回動部材と支持部材との連結部に、回動部材を回動可能に支持する回転軸部を有し回動部材を支持部材に回転可能に連結する回動支持軸部材と、回動支持軸部材の回転軸部を包囲し、回転軸部と回動部材との間に介在されて回動部材の回動の際に回転軸部に対して摩擦抵抗を付与する摩擦抵抗付与部材とを備え、摩擦抵抗付与部材と回動部材との間では回転が生ずることがなく、回動支持軸部材に対して摩擦抵抗付与部材の内周面が摺接することで摩擦抵抗が付与される構造とされている。
【００４１】
具体的には、ネスティング椅子の座１０と脚フレーム２との間の回動構造に適用した本実施形態の場合には、回動部材が座フレーム２４であり、支持部材が脚フレーム２であり、回動支持軸部材１１が脚フレーム２に固定された回転軸部１４を有する固定軸であり、回動支持軸部材１１が座フレーム２４を貫通して脚フレーム２に固定される一方、摩擦抵抗付与部材２１が座フレーム２４側に回転不能に装着され、脚フレーム２側に固定された回動支持軸部材１１を中心に座フレーム２４が回転可能に支持されて座フレーム２４を含む座１０を水平姿勢と垂直姿勢とに切り替え可能とし、垂直姿勢に座１０を保持した状態で同一構造の他の椅子と前後方向にネスティング可能とする。
【００４２】
回動支持軸部材１１は、図１１に示すように、先端にねじ１２が形成されると共に、後端に頭部（円板状の頭部）１３を有し、それらの間に段付きを伴う回転軸部１４（ボルトのねじを切っていない円筒部・ショルダー）が形成されている。即ち、回動支持軸部材１１は、本実施形態の場合には所謂段付ねじ（ショルダーボルト）の形態を成している。本実施形態では、頭部１３は円板によって構成され、頭部１３の中央には、六角レンチを差し込むための六角孔１３ａが形成された六角穴付きショルダーボルトである。回動支持軸部材１１の先端のねじ１２と回転軸部１４（ショルダーとも呼ばれる）１４との境界には段付き１５が形成され、この段付き（ショルダー接触面とも呼ばれる）１５が脚フレーム２の座支持部４のねじ孔３５の入り口の座ぐり穴３７の底面に当接して、ねじの頭部としての機能を発揮する。即ち、回動支持軸部材１１は、段付き１５が座支持部４のねじ孔３５の座ぐり穴３７の底面に当接するまで先端のねじ１２を締め付けることで一定の締結力で固定できる。
【００４３】
尚、本発明において回動支持軸部材１１が支持部材である脚フレーム２に対してねじ止めで固定されることは必須の構成ではなく、例えば圧入固定や、溶接付あるいはリベット止めなどで固定しても良いし、回動部材である座フレーム２４に貫通させた自由端側のねじ部に抜け止めのナットなどを螺合させるようにしても良い。即ち、回動支持軸部材１１は段付きねじの形態に限られない。
【００４４】
摩擦抵抗付与部材２１は、例えば、回転軸部１４を包囲して径方向に弾性変形可能な円弧状部材であり、回動支持軸部材１１に対して摩擦抵抗付与部材２１の内周面が摺接することで摩擦抵抗を付与するものであり、かつ軸受けも兼ねる。具体的には、摩擦抵抗付与部材２１は、例えば図１１及び図１２に示すように、回動支持軸部材１１の回転軸部１４の外周面に面接触する円弧状の内周面を有するシュー部材１６と、回転軸部１４に向けてシュー部材１６を押しつける締め付け力を付与する締付部材２０とで構成され、締付部材２０で軸中心に向けて締め付けられることにより回転軸部１４にシュー部材１６が押しつけられて摩擦抵抗が付与されるように設けられている。
【００４５】
本実施形態の場合、シュー部材１６は例えばポリアセタール製の横断面形状Ｃ形の筒部材（以下、Ｃ形筒部材と呼ぶ）であり、その外周面を径方向中心側に向けて常時付勢力を付与する締付部材例えばＯリング２０で締め付けることにより、径方向内向きに弾性変形可能な構造とされている。ポリアセタールは、通常軸受け部材などとしても使用されるものであり、摺動性、耐摩耗性、耐疲労性に富み、機械的強度に優れるものであるが、軸方向のスリット１７が設けられて横断面形状Ｃ形に形成されることによって、径方向に弾性変形可能な弾性構造物として機能する。そして、Ｃ形筒部材の外周面側を全周から中心に向けて均等にＯリング２０で締め付けることにより、内方の回転軸部１４をほぼ全周面で均一に締め付けて摩擦抵抗を与える摩擦抵抗付与部材２１として機能するものである。本実施形態の場合、Ｃ形筒部材から成るシュー部材１６の外周面に軸方向に等間隔に形成された複数本例えば４本の環状の溝１８に、Ｏリング２０をそれぞれ嵌めることによって長さ方向に均等に締め付けるように構成されている。これにより、座１０は適度な摩擦抵抗が付与されて使用位置と跳ね上げ位置との間で必要以上の抵抗なく回転可能となる。ここで、本実施形態のシュー部材１６は、軸方向のスリット１７を入れた一部品となる横断面形状Ｃ形の筒部材に形成されているので、複数枚に分割されたシュー部材１６を回転軸部１４の周りに配置してＯリングなどの締付部材２０で組み付けてから座フレーム２４に組み込む場合に比べて遙かに組み立て性に優れ、量産性に優れている。
【００４６】
締付部材２０は、径方向に弾性変形可能なシュー部材１６を径方向中心側に向けて常時付勢力を付与するものであり、例えば入手が容易で安定した締め付け力が得られるＯリングの使用が好ましい。本実施形態の場合、シュー部材１６の外周面に軸方向へ一定間隔で複数本例えば４本のＯリングが嵌められている。Ｏリングの本数は４本であることに特に限られるものではなく、３本以下のＯリングあるいは５本以上のＯリングを用いて締め付けるようにしても良い。締付部材の数及び位置を調整することによって回転軸部１４に付与する摩擦抵抗の大きさ、付与位置あるいは分布などの調整を容易に行える。例えば、予め環状の溝１８を多数設けておけば、基本構造は変更せずにＯリング２０の本数を増減することで締め付け力を増減させることができる。特に、本実施形態のように締付部材としてＯリング２０が用いられる場合には、Ｏリング２０の設置個数の調節は容易・簡便であるので、座フレーム２４の回動に対する摩擦抵抗の調整が容易である仕組みが簡便に構成される。
【００４７】
ここで、径方向に弾性変形可能な円弧状のシュー部材１６とＯリング２０との組み合わせから成る摩擦抵抗付与部材２１は、回動支持軸部材１１の回転軸部１４にシュー部材１６と締付部材であるＯリング２０とを嵌合させた状態で座フレーム２４の貫通孔２９に挿入することで、シュー部材１６の外周面よりも径方向外側へ膨らんだ（飛び出した）Ｏリング２０が押し潰され適度の圧縮を受けることにより生ずる反発力をシュー部材１６に伝えてシュー部材１６を回転軸部１４に押しつけ締め付けるものである。これにより、制動力即ち摩擦抵抗を得る。このため、締め付け力換言すれば摩擦抵抗を予め一定に設定することができるので、締め付け力の調整作業が不要となると共に締め付け力の調整のばらつきもなくなる。
【００４８】
また、座フレーム２４の貫通孔２９に締付部材・Ｏリング２０を嵌め込むときの反発で締め付け力が発生するものであるので、締付部材２０はリング状で無くとも良いしそれ自体の弾性力・復元力でシュー部材１６を締め付ける必要もなく、座フレーム２４と回転軸部１４との間に介在されることで、即ち座フレーム２４の貫通孔２９に挿入されることで付加される拘束で発生する反発力でシュー部材１６を回転軸部１４に押しつけるようにしても良い。例えば、ポリアセタール製シュー部材１６の裏面（回転軸部１４と摺接する内周面に対して裏側となる外周面側を指す）に何らかの高反発性クッション材例えば高反発ウレタンを取り付けることで、一部品化しても良い。
【００４９】
また、リング状の締付部材２０は、相対的な回転を伴わない２部材間に介在されることから、断面形状については特に円形（Ｏリング）に限定されず、角リング、Ｄリング、Ｘリングなどの非円形断面のばね性のあるリングでも良い。また、締付部材２０は密封を目的とせず、シュー部材１６を回転軸部１４に押しつける付勢力を常時付与することを目的とするものであることから、ニトリルゴム製のＯリングのようなものに限られず、例えばゴムバンドやばね鋼製Ｃ形リング、ガーターばねなどのばね性のあるリングや筒状部材でも良い。さらには、Ｏリングに代えてクッション性のある素材のテープなどを巻くことも可能である。
【００５０】
また、本実施形態では、摩擦抵抗付与部材２１はＣ形筒部材から成るシュー部材１６とその外周面を締め付けるＯリング２０との２部材の組み合わせで構成されているが、これに特に限定されるものではなく、それ自体が径方向に弾性変形可能で尚且つ中心に向けて常時付勢力を付勢するばね性を有する材料であれば一部品であっても実施可能である。例えば、図示していないが、弾力性のあるエラストマ樹脂やばね鋼などで回動支持軸部材１１よりも僅かに小径の円筒あるいはＣ形円筒に形成し、拡げて回動支持軸部材１１に嵌め込むことにより復元力により常時締め付け力を付与するようにしても良いし、さらには貫通孔の内周面に中心軸に向けて突出するテーパ面を形成して回動支持軸部材１１とその外周を包囲するシュー部材１６とを貫通孔に挿入すると同時にテーパ面でシュー部材１６を内側に窄めてシュー部材１６を回動支持軸部材１１に押しつけるように変形させるようにしても良い。これらの場合には、摩擦抵抗付与部材２１は一部品で構成される。
【００５１】
また、摩擦抵抗付与部材２１は、本実施形態の場合、Ｃ形の円弧状（優弧）として構成されているが、例えば１８０°未満の円弧（劣弧）状のシュー部材例えば２部材あるいは３部材以上に周方向に分割されたシュー部材を回転軸部１４の周りに組み合わせて締付部材で締め付けるような構造としても良い。
【００５２】
以上の構成の回動支持軸部材１１とシュー部材１６及びＯリング２０とは、順次嵌合されて１本の軸として回動部材たる座フレーム２４の貫通孔２９にセットされてから支持部材たる脚フレーム２のねじ孔３５にねじ込まれる。
【００５３】
貫通孔２９には、回動支持軸部材１１の回転軸部１４並びに該回転軸部１４に嵌合される摩擦抵抗付与部材２１即ちシュー部材１６とシュー部材１６の周囲に嵌められるＯリング２０とが組み立てられた状態で収容され、回動支持軸部材１１の先端のねじ部１２が脚フレーム２の座支持部４のねじ孔３５に向けて突出させられる。他方、シュー部材１６の側には、座フレーム２４の貫通孔２９の入り口周辺の凹部３１と嵌合して回り止めを構成する凸起１９が頭部１３の直近に形成されている。したがって、回転支持軸部材１１を貫通孔２９に挿入する際に、摩擦抵抗付与部材２１の凸部１９を貫通孔１９側の凹部３１と位置合わせてして軸方向に押し込むだけで、凹凸１９，３１が嵌合してシュー部材１６と回動部材たる座フレーム２４とが回転方向に係合され、シュー部材１６と座フレーム２４との間で回転が生ずることがなくなる。
【００５４】
そして、貫通孔２９に摩擦抵抗付与部材２１（シュー部材１６とＯリング２０）を介在させて挿入された回動支持軸部材１１は、先端のねじ１２が座支持部４のねじ孔３５に螺合されることによって、脚フレーム２と座フレーム２４とを回転可能に連結する。同時に、上述の回動構造は、互いに相対的に回転可能に連結される２部材間の連結と回転の際の摩擦抵抗付与とを分離させた軸受け構造となるので、ねじの締結に影響を与えず完全に締め付けて２部材を連結することができる。
【００５５】
以上のように構成されたネスティング椅子１の座１０の回動構造によれば、脚フレーム２と座フレーム２４とを回転可能に連結する回動支持軸部材１１と座フレーム２４の貫通孔２９との間に介在される円弧状の摩擦抵抗付与部材２１によって、座フレーム２４の回動に際して摩擦抵抗が回動支持軸部材１１の回転軸部１４の外周面のほぼ全域に面接触下に付与されることから、荷重が集中されること無く分散される。また、回動支持軸部材１１は摩擦抵抗付与部材２１とは無関係に脚フレーム２に固定される。依って、回動支持軸部材１１の締め付けとは無関係に安定的に一定の摩擦抵抗を付与することができる。
【００５６】
したがって、座１０は水平姿勢と垂直姿勢とに適度な摩擦抵抗の下に軽快に切り替え可能であると共に、水平姿勢に戻そうとする外力がかからない限り垂直姿勢を保ち続けることができる。このため、座１０を跳ね上げて垂直姿勢に保持した状態で同一構造の他の椅子と前後方向にネスティングし得る椅子に適用した場合に、椅子の使用の快適性が高まる。しかも、Ｏリング２０は回転軸部１４と直に接触しておらず、シュー部材１６を回転軸部１４に押しつける力を付与しているだけなので、損傷し難い上に、材質、厚み、本数などを増減することで締め付け力換言すれば摩擦抵抗の大きさを容易に調整できる。
【００５７】
しかも、ねじ１２の適正な締め付けによって脚フレーム２と座フレーム２４との間のねじ締結を行うと同時に、回転軸部１４を包囲する摩擦抵抗付与部材２１のシュー部材１６にねじの締め付け力とは異なる方向の締め付け力を付与して一定の摩擦抵抗を発揮させながら滑り摩擦で荷重を面で支えているので、ねじ１２に弛みが起き難くい上に仮にねじ１２の弛みが起きても回転軸部１４を締め付ける摩擦抵抗付与部材２１の締め付け力には影響を与えず、回転軸部１４と摩擦抵抗付与部材２１とが接触する全面（広範囲な面接触）で一定の摩擦抵抗を長期間安定的に付与できる。
【００５８】
即ち、椅子の互いに相対的に回転可能に連結される２部材間のねじ締結と回転とを両立させ、椅子の使用の快適性の向上を図ることが可能になる。特に重力の作用方向に回動する回転軸部を備える座の跳ね上げ機構における、座の使用位置と跳ね上げ位置との間の回転動作の快適性の向上を図ることを可能にする。摩擦抵抗付与部材２１は座フレーム２４の貫通孔２９に挿入するだけなので、組み立て時に摩擦抵抗の調整作業が不要であると共に調整のばらつきも少ない。
【００５９】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。例えば、上述の実施形態では本発明に係る回動構造がネスティング椅子１の座部回転構造に適用されるようにしているが、これに特に限られるものではなく、種々の椅子の構造物の回動構造に適宜選択され得る。具体的には例えば、上述の実施形態の椅子１のように前後方向にネスティング可能であることは本発明において必須の構成ではなく、また、脚フレーム２並びに背凭れ７及び座１０などの各構成部材の具体的な形状や態様は椅子の用途やデザインなどを踏まえて種々のものが適宜選択され得る。さらに、一例として挙げると、本発明が適用される椅子としては、背凭れ７を有することは必須の構成ではなく、また、座１０がメッシュ張地２３を座枠２２にインサート成形してヒートセットしたものと座フレーム２４とを組み合わせたものとすることも必須の構成ではない。座１０は特定の構造に限定されず、例えば特開２０１６−１２０１２４号において開示されているような構造、即ち座フレームと、座フレームの上面に取り付けられるシェルと、シェルの下方に配設される弾性部材と、シェルの上面を覆うクッションと、座フレームの下面に取り付けられる座裏カバーとで構成されるようなものであっても良い。
【００６０】
また、上述の実施形態では、座１０は、座フレーム２４と座枠２２との２部材で構成されているが、これに限られるものではなく、上述の実施形態における座フレーム２４と座枠２２とが備える構成・機能に相当する構成・機能を備えて一体のものとして形成された座が用いられるようにしても良い。
【００６１】
また、上述の実施形態では左右の回動支持軸部材１１の双方に摩擦抵抗付与部材２１が設けられるようにしているが、どちらか一方の回動支持軸部材１１のみに摩擦抵抗付与部材２１が設けられるようにしても良い。
【００６２】
また、上述の実施形態ではネスティング椅子の座の回動構造を例に挙げて説明しているが、椅子の構造物における回動部材と回動支持軸部材との組み合わせは上述の実施形態におけるものには限られない。具体的には例えば、前後傾動可能なヘッドレストを回動部材とすると共に当該ヘッドレストの左右両端部において当該ヘッドレストを回動可能に支持する左右方向に配設された一対の軸部材を回動支持軸部材とするようにしても良いし、水平回動可能な肘掛け（具体的には肘載せ部）を回動部材とすると共に当該肘掛けの下面側において当該肘掛けを回動可能に支持する上下方向に配設された軸部材を回動支持軸部材とするようにしても良いし、あるいは着座者の前方において左右方向や前後方向または他の方向に回転可能なメモ台やテーブルを回動部材とすると共に当該メモ台やテーブルを回動可能に支持する軸部材を回動支持軸部材とするようにしても良い。即ち、本発明は、互いに相対的に回転可能に連結される２部材間の回転軸部、特に重力の影響を受ける方向に回動する回転軸部に適用することが好ましいが、これに特に限られるものではなく、互いに相対的に回転可能に連結される２部材間の回動構造の全般に適用できることは言うまでもない。
【符号の説明】
【００６３】
１    椅子
２    脚フレーム（支持部材）
４    座支持部
１０    座
１１    回動支持軸部材（段付きねじ）
１４    回転軸部
１６    シュー部材
１９    摩擦抵抗付与部材の回り止めを構成する凸起
２０    Ｏリング（締付部材）
２１    摩擦抵抗付与部材
２４    座フレーム（回動部材）
２９    貫通孔
３１    摩擦抵抗付与部材の回り止めを構成する凹部
【図１】
2019063227.tif 000003
【図２】
2019063227.tif 000004
【図３】
2019063227.tif 000005
【図４】
2019063227.tif 000006
【図５】
2019063227.tif 000007
【図６】
2019063227.tif 000008
【図７】
2019063227.tif 000009
【図８】
2019063227.tif 000010
【図９】
2019063227.tif 000011
【図１０】
2019063227.tif 000012
【図１１】
2019063227.tif 000013
【図１２】
2019063227.tif 000014